(57)【要約】【課題】フィルタ清掃機構の回転ブラシ上から櫛状部材により塵埃を掻き落とす際、塵埃の一部が櫛状部材の回転方向後方に跳ねたとしても、それを確実にダストボックス内に誘導し、回収することができる空気調和機を提供することを目的とする。【解決手段】フィルタ清掃機構２３が装備されている空気調和機において、フィルタ清掃機構２３は、エアフィルタ１４から塵埃を掻き取る回転ブラシ２５と、該回転ブラシ２５によって掻き取られた塵埃を回収し、蓄積するダストボックス２６と、該ダストボックス２６側に設けられ、回転ブラシ２５に付着されている塵埃を離脱させ、ダストボックス２６内に掻き落とす櫛状部材３７とを備え、櫛状部材３７には、その櫛部の根元部側に、回転方向後方に跳ねた塵埃をダストボックス２６内に誘導する開口３８が設けられている。【選択図】図５
2012154589.tif 000002
【特許請求の範囲】
【請求項１】
熱交換器の上流側に設けられ、空気中の塵埃を捕集するエアフィルタと、該エアフィルタをフィルタ移動経路に沿って移動させるフィルタ駆動手段と、前記フィルタ移動経路に沿って設けられ、前記エアフィルタで捕集された塵埃を除去するフィルタ清掃機構とが装備されている空気調和機において、
前記フィルタ清掃機構は、前記エアフィルタから塵埃を掻き取る回転ブラシと、該回転ブラシによって掻き取られた塵埃を回収し、蓄積するダストボックスと、該ダストボックス側に設けられ、前記回転ブラシに付着されている塵埃を離脱させ、前記ダストボックス内に掻き落とす櫛状部材と、を備え、
前記櫛状部材には、その櫛部の根元部側に、回転方向後方に跳ねた塵埃を前記ダストボックス内に誘導する開口が設けられていることを特徴とする空気調和機。
【請求項２】
前記開口は、前記ダストボックスと一体に設けられている前記櫛状部材の前記根元部側に、その長さ方向に沿って所定の間隔で連結桟部を残し、複数個設けられていることを特徴とする請求項１に記載の空気調和機。
【請求項３】
前記ダストボックスには、前記櫛状部材の回転方向後方に、該櫛状部材から回転方向後方に跳ねた塵埃の飛散防止用カバーが設けられていることを特徴とする請求項１または２に記載の空気調和機。
【請求項４】
前記塵埃飛散防止用カバーは、前記ダストボックスに対して着脱自在に設けられていることを特徴とする請求項３に記載の空気調和機。
【請求項５】
前記塵埃飛散防止用カバーの先端部は、前記回転ブラシの外周に接する接線位置まで延在されていることを特徴とする請求項３または４に記載の空気調和機。
【発明の詳細な説明】
【技術分野】
【０００１】
本発明は、エアフィルタを自動的に清掃するフィルタ清掃機構を備えている空気調和機に関するものである。
【背景技術】
【０００２】
エアフィルタで捕集された塵埃が蓄積されると、通風抵抗が増大し、空気調和機の運転効率が低下する。そこで、エアフィルタにより捕集された塵埃を定期的に除去し、エアフィルタを自動清掃するフィルタ清掃機構を備えた空気調和機が提供されている。このフィルタ清掃機構としては、様々な様式が提案されている。その１として、熱交換器の上流側に配設されているエアフィルタをフィルタガイドに沿って移動させ、その移動経路に沿って設置されている回転ブラシ等を介してエアフィルタ上の塵埃を掻き取り、それをダストボックス内に回収するように構成したものが知られている。
【０００３】
このような空気調和機にあって、フィルタ清掃機構は、例えば特許文献１に示されるように、エアフィルタの移動経路を形成するガイド部材と、エアフィルタを移動経路に沿って移動させるフィルタ駆動手段と、エアフィルタから塵埃を掻き取る回転ブラシと、回転ブラシで掻き取った塵埃を回収するダストボックスと、フィルタ駆動手段および回転ブラシを駆動するモータおよび歯車機構を含む駆動機構等とから構成され、更にダストボックスには、エアフィルタから掻き取られて回転ブラシに付着している塵埃を離脱させ、ダストボックス内に掻き落とす櫛状部材が設けられた構成とされていた。
【先行技術文献】
【特許文献】
【０００４】
【特許文献１】特開２０１０−６５９０８号公報
【発明の概要】
【発明が解決しようとする課題】
【０００５】
特許文献１に示されるように、エアフィルタから掻き取った塵埃が回転ブラシ上に残らないように、回転ブラシ上の塵埃を掻き落とす櫛状部材を設けることは、塵埃がエアフィルタに再付着するのを防止する上で有効である。しかしながら、櫛状部材の櫛部は、回転ブラシのブラシ毛内に差し込まれているため、ブラシ毛が櫛部を通過する際、塵埃の一部がブラシ毛によって櫛状部材の回転方向後方に跳ねられる。これによって、櫛状部材の回転方向後方部位に塵埃の一部が堆積し、それがダストボックスの外部に飛散したり、回転ブラシを介してエアフィルタに再付着したりする等の原因となり、フィルタ清掃機構の機能を低下させるという課題があった。
【０００６】
本発明は、このような事情に鑑みてなされたものであって、回転ブラシ上から櫛状部材により塵埃を掻き落とす際、塵埃の一部が櫛状部材の回転方向後方に跳ねたとしても、それを確実にダストボックス内に誘導し、回収することができる空気調和機を提供することを目的とする。
【課題を解決するための手段】
【０００７】
上記した課題を解決するために、本発明の空気調和機は、以下の手段を採用する。
すなわち、本発明にかかる空気調和機は、熱交換器の上流側に設けられ、空気中の塵埃を捕集するエアフィルタと、該エアフィルタをフィルタ移動経路に沿って移動させるフィルタ駆動手段と、前記フィルタ移動経路に沿って設けられ、前記エアフィルタで捕集された塵埃を除去するフィルタ清掃機構とが装備されている空気調和機において、前記フィルタ清掃機構は、前記エアフィルタから塵埃を掻き取る回転ブラシと、該回転ブラシによって掻き取られた塵埃を回収し、蓄積するダストボックスと、該ダストボックス側に設けられ、前記回転ブラシに付着されている塵埃を離脱させ、前記ダストボックス内に掻き落とす櫛状部材と、を備え、前記櫛状部材には、その櫛部の根元部側に、回転方向後方に跳ねた塵埃を前記ダストボックス内に誘導する開口が設けられていることを特徴とする。
【０００８】
本発明によれば、エアフィルタから塵埃を掻き取る回転ブラシと、該回転ブラシによって掻き取られた塵埃を回収し、蓄積するダストボックスと、該ダストボックス側に設けられ、回転ブラシに付着されている塵埃を離脱させ、ダストボックス内に掻き落とす櫛状部材とを備え、エアフィルタで捕集された塵埃を除去するフィルタ清掃機構にあって、櫛状部材の櫛部の根元部側に、その回転方向後方に跳ねた塵埃をダストボックス内に誘導する開口が設けられているため、エアフィルタから掻き取られ、回転ブラシ上に付着している塵埃を櫛状部材でダストボックス内に掻き落とす際、その回転方向後方に跳ねた塵埃を櫛状部材の根元部に設けられている開口を通してダストボックス内に誘導し、該ダストボックス内に回収、蓄積することができる。従って、櫛状部材の回転方向後方に跳ねた塵埃がその後方部位に堆積し、それがダストボックスの外部に飛散したり、回転ブラシを介してエアフィルタに再付着されたりするのを防止し、確実にダストボックス内に回収することができる。
【０００９】
さらに、本発明の空気調和機は、上記の空気調和機において、前記開口は、前記ダストボックスと一体に設けられている前記櫛状部材の前記根元部側に、その長さ方向に沿って所定の間隔で連結桟部を残し、複数個設けられていることを特徴とする。
【００１０】
本発明によれば、開口が、ダストボックスと一体に設けられている櫛状部材の根元部側に、その長さ方向に沿って所定の間隔で連結桟部を残し、複数個設けられているため、櫛状部材により回転ブラシ上から塵埃をダストボックス内に掻き落とす際、櫛状部材の回転方向後方に跳ねた塵埃を、その長さ方向に沿う複数個の開口のいずれかからダストボックス内に誘導することができる。従って、櫛状部材の回転方向後方に跳ねた塵埃の略すべてを確実にダストボックス内に誘導し、回収することができる。また、複数の開口間に残された連結桟部によって必要な強度を確保できるため、櫛状部材の機能低下を防止し、塵埃の掻き落とし機能を確実に維持することができる。
【００１１】
さらに、本発明の空気調和機は、上述のいずれかの空気調和機において、前記ダストボックスには、前記櫛状部材の回転方向後方に、該櫛状部材から回転方向後方に跳ねた塵埃の飛散防止用カバーが設けられていることを特徴とする。
【００１２】
本発明によれば、ダストボックスの櫛状部材の回転方向後方に、該櫛状部材から回転方向後方に跳ねた塵埃の飛散防止用カバーが設けられているため、櫛状部材によって回転ブラシ上から塵埃をダストボックス内に掻き落とす際、櫛状部材の回転方向後方に跳ねた塵埃を、塵埃飛散防止用カバーにより下方に落下させ、櫛状部材の根元部に設けられている開口を通してダストボックス内に誘導し、その内部に回収、蓄積することができる。従って、エアフィルタから除去した塵埃のダストボックス外部への飛散や落下を防止し、確実にダストボックス内に回収することができる。
【００１３】
また、本発明の空気調和機は、上記の空気調和機において、前記塵埃飛散防止用カバーは、前記ダストボックスに対して着脱自在に設けられていることを特徴とする。
【００１４】
本発明によれば、塵埃飛散防止用カバーが、ダストボックスに対して着脱自在に設けられているため、空気調和機の筐体からダストボックスを取り外し、内部に回収、蓄積されている塵埃を処理する際、ダストボックスから塵埃飛散防止用カバーを取り外すことによって、塵埃飛散防止用カバーを綺麗に洗浄することができる。また、塵埃飛散防止用カバーをダストボックスと別体にすることで、それぞれの成形を容易化することができる。従って、塵埃の飛び跳ねにより汚れ易い塵埃飛散防止用カバーを、簡易に取り外して洗浄メンテナンスすることができるとともに、ダストボックスおよび塵埃飛散防止用カバーそれぞれの製造型費や製造コストを低減することができる。
【００１５】
さらに、本発明の空気調和機は、上述のいずれかの空気調和機において、前記塵埃飛散防止用カバーの先端部は、前記回転ブラシの外周に接する接線位置まで延在されていることを特徴とする。
【００１６】
本発明によれば、塵埃飛散防止用カバーの先端部が、回転ブラシの外周に接する接線位置まで延在されているため、櫛状部材によって回転ブラシから塵埃をダストボックス内に掻き落とす際、櫛状部材の回転方向後方に跳ねた塵埃が、回転ブラシと塵埃飛散防止用カバーの先端部との間の隙間から、ダストボックスの外部に飛び散るのを防止することができる。従って、塵埃飛散防止用カバーによる塵埃の飛散防止効果を高めることができるとともに、塵埃飛散防止用カバーと回転ブラシとが接触することによる回転抵抗の増大を抑制することができる。
【発明の効果】
【００１７】
本発明によると、エアフィルタから掻き取られ、回転ブラシ上に付着している塵埃を櫛状部材でダストボックス内に掻き落とす際、その回転方向後方に跳ねた塵埃を櫛状部材の根元部に設けられている開口を通してダストボックス内に誘導し、該ダストボックス内に回収、蓄積することができるため、櫛状部材の回転方向後方に跳ねた塵埃がその後方部位に堆積し、それがダストボックスの外部に飛散したり、回転ブラシを介してエアフィルタに再付着されたりするのを防止し、確実にダストボックス内に回収することができる。
【図面の簡単な説明】
【００１８】
【図１】本発明の一実施形態に係る空気調和機の外観斜視図である。
【図２】図１に示す空気調和機のフロントパネルを取外した状態の斜視図である。
【図３】図１に示す空気調和機の縦断面図である。
【図４】図２に示す空気調和機のフィルタ清掃機構の一部を分解した状態の分解斜視図である。
【図５】図４に示すフィルタ清掃機構のエアフィルタとダストボックスとの配置関係を示す側面視図である。
【図６】図５に示すフィルタ清掃機構のダストボックスの分解斜視図である。
【図７】図６に示すダストボックスを構成している櫛状部材の斜視図である。
【図８】図６に示すダストボックスを構成している塵埃飛散防止カバーの斜視図である。
【発明を実施するための形態】
【００１９】
以下に、本発明の一実施形態について、図１ないし図８を参照して説明する。
図１には、本発明の一実施形態に係る空気調和機の外観斜視図が示され、図２には、そのフロントパネルを取外した状態の斜視図が示され、更に図３には、その縦断面図が示されている。ここでは、壁掛け型の空気調和機１が例示されている。
空気調和機１は、ベース本体２と、該ベース本体２にその前方部位を上下、左右、および前面から被うように着脱自在に設けられたフロントカバー３と、該フロントカバー３の前面に上部を支点に上方に開閉自在に設けられたフロントパネル４とから構成された横長長方形状の筐体５を備えている。
【００２０】
筐体５を構成しているフロントカバー３の前面および上面は、その略全面が格子状の桟６，７とされ、該桟６，７により空気吸込み口８が形成されるとともに、該桟６，７がフィルタガイドを兼ねるように構成されている。また、フロントカバー３には、空気吸込み口８の左右方向の中央部にセンターフレーム３Ａが形成され、空気吸込み口８の左右両側にサイドフレーム３Ｂ，３Ｃが形成されている。なお、これらセンターフレーム３Ａおよびサイドフレーム３Ｂ，３Ｃは、後述するフィルタ清掃機構２３の構成部品およびその関連部品等が組み付けられるため、必要な強度が確保されている。
【００２１】
さらに、フロントカバー３の上面には、吸込みグリル９が設置されており、また、その下面の前方部位には、略全幅にわたり温調された空気を室内に吹出すための吹出し口１０が開口されている。この空気吹出し口１０には、風向を左右方向に変更する複数枚のルーバ１１と、風向を上下方向に変更するとともに、空気吹出し口１０を閉鎖可能な左右に２分割されている上下各２枚の水平フラップ１２が設けられている。なお、このルーバ１１および水平フラップ１２は、図示省略のモータによって、それぞれ独立して回動されるように構成されている。
【００２２】
筐体５内には、前面および上面の空気吸込み口８から下面前方部位の空気吹出し口１０に至る間に空気流路１３が形成されており、該空気流路１３中に上流側からエアフィルタ１４、室内熱交換器（熱交換器）１５および室内送風機１６が順次配設されている。吸込みグリル９を介して吸込まれた室内空気は、エアフィルタ１４を通過して塵埃が除去された後、室内熱交換器１５により冷却または加熱され、室内送風機１６を介して空気吹出し口８から室内に吹出されるようになっている。エアフィルタ１４は、左右に２分割されて設置されており、該エアフィルタ１４の背面側の前面上方部位には、それぞれ横長の空清フィルタ１７がフィルタ保持枠１８を介して左右に一対配設されている。
【００２３】
室内熱交換器１５は、概略Λ形状に折り曲げ形成されたプレートフィンチューブ型熱交換器とされ、筐体５内において、前面の下部位置から上面および後面にかけて配設されている。該室内熱交換器１５の下流側において、その内側空間内に室内送風機１６を構成する細長い筒状のクロスフローファンが配設されている。一対のエアフィルタ１４は、室内熱交換器１２の上流側において、筐体５を構成しているフロントカバー３の前面および上面の略全面に設けられている格子状の桟６，７の前面側領域を覆うように、多数のフィルタガイド部材によって形成される第１フィルタ移動経路１９に沿って付設されている。
【００２４】
第１フィルタ移動経路１９は、フロントカバー３の桟６，７の表面、吸込みグリル９の下面、フロントカバー３の前面側に設置されているフィルタガイド部材２０、空清フィルタ１７のフィルタ保持枠１８の外表面、該フィルタ保持枠１８に対向してフロントカバー３の前面上方部位に設置されているフィルタガイド部材２１、フロントパネル４の背面にフィルタガイド部材２０と対向配置されているフィルタガイド部材２２等々の多数のフィルタガイド部材によりフロントカバー３の左右に一対で形成されている。これらの多数のフィルタガイド部材は、フロントカバー３に一体に組み付けられている。
【００２５】
この第１フィルタ移動経路１９は、筐体５の上面側の空気吸込み口８に沿って形成されている移動経路１９Ａと、筐体５の前面側の空気吸込み口８に沿って形成されている移動経路１９Ｂとにより構成されている。また、第１フィルタ移動経路１９を介して室内熱交換器１５の上流側に付設されているエアフィルタ１４は、その上流側の塵埃捕集面により捕集された塵埃を除去するため、左右一対のフィルタ清掃機構２３により第１フィルタ移動経路１９内を往復動可能とされている。
【００２６】
フィルタ清掃機構２３は、エアフィルタ１４上に捕集されている塵埃を除去してエアフィルタ１４を自動清掃するためのものであり、フロントカバー３の前面側の下方部位に設置されている。本実施形態のフィルタ清掃機構２３は、エアフィルタ１４を往復動させるための左右一対の円筒状をなすフィルタ駆動ローラ（フィルタ駆動手段）２４と、このフィルタ駆動ローラ２４の下方に対向配置され、該フィルタ駆動ローラ２４により移動されるエアフィルタ１４の塵埃捕集面から塵埃を掻き取る左右一対の回転ブラシ２５と、該回転ブラシ２５で掻き取った塵埃を回収して蓄積する左右一対の着脱可能なダストボックス２６と、フィルタ駆動ローラ２４および回転ブラシ２５を駆動するステッピングモータおよび歯車列等を有する左右一対の駆動機構３３と、を備えた構成とされている。
【００２７】
左右一対のフィルタ駆動ローラ２４には、左右両端部に歯車（ピニオン）２４Ａが設けられ、その間の表面がブラシ状とされており、歯車２４Ａにエアフィルタ１４のフィルタ枠の左右両側に設けられているラック１４Ａが噛み合わされ、ブラシ状表面がエアフィルタ１４の裏面と接し、塵埃を押出す構成とされている。これによって、各フィルタ駆動ローラ２４を介して左右一対のエアフィルタ１４が、それぞれ第１フィルタ移動経路１９内を往復動可能とされている。なお、フィルタ駆動ローラ２４は、左右一対の駆動機構３３のフィルタ用ステッピングモータ（図示省略）を介して正逆回転可能とされている。
【００２８】
また、フィルタ清掃時に、エアフィルタ１４がフィルタ清掃機構２３のフィルタ駆動ローラ２４を介して移動されたとき、その移動経路を確保するための第２フィルタ移動経路２７および第３フィルタ移動経路２９が筐体５を構成するフロントカバー３上に左右一対で形成されている。第２フィルタ移動経路２７は、エアフィルタ１４をフィルタ駆動ローラ２４に沿う湾曲部を介して上方に折り返すための湾曲経路（Ｕターン経路）とされており、フィルタ駆動ローラ２４の外周面と該フィルタ駆動ローラ２４に沿って設けられている湾曲ガイド部材２８とによって形成されている。該第２フィルタ移動経路２７は、第１フィルタ移動経路１９の一端に連続されている。
【００２９】
第３フィルタ移動経路２９は、エアフィルタ１４を室内熱交換器１５の上方部位から外れた位置に導くための経路であって、第２フィルタ移動経路２７のＵターンされた側の端部に連続されている。この第３フィルタ移動経路２９は、室内熱交換器１５の前面側において、フロントパネル４の背面に沿って上下方向に延在されている第１フィルタ移動経路１９の移動経路１９Ｂと、室内熱交換器１５の前面側との間を通して、該移動経路１９Ｂと略平行に上方に延在されている。
【００３０】
また、第３フィルタ移動経路２９は、フロントカバー３の前面側の桟６の表面とフィルタガイド部材２０の後面２０Ａとの間に形成される上方に延在する移動経路２９Ａと、筐体５内の前面上方部位で第１フィルタ移動経路１９と交差してフロントパネル４の背面に延在する、フィルタガイド部材２１とフロントパネル４背面のフィルタガイド部材２２とによって形成される移動経路２９Ｂと、フロントパネル４の背面に沿って下向きに折り返されて下方に延在し、フィルタガイド部材２１の下端付近で第１フィルタ移動経路１９に合流される、フィルタガイド部材２１とフロントパネル４背面のフィルタガイド部材２２とによって形成される移動経路２９Ｃとから構成されている。
【００３１】
なお、第３フィルタ移動経路２９と第１フィルタ移動経路１９が交差する位置は、エアフィルタ１４が第３フィルタ移動経路２９に沿って移動される過程で、その一端が交差位置に差し掛かったとき、第１フィルタ移動経路１９を移動しているエアフィルタ１４の他端が交差位置を通過しているように、第２フィルタ移動経路２７のＵターン位置から最遠の上方位置に設定されている。
【００３２】
さらに、本実施形態においては、フィルタ清掃機構２３を構成するフィルタ駆動ローラ２４、回転ブラシ２５、ダストボックス２６、および第２フィルタ移動経路２７を形成している湾曲ガイド部材２８等が、複数のロック機構３０、３１および軸押え部材３２を介してフロントカバー３に着脱自在に組み込まれている。そして、これら複数のロック機構３０，３１および軸押え部材３２を開放することにより、フィルタ駆動ローラ２４、回転ブラシ２５、ダストボックス２６、湾曲ガイド部材２８等が、図４に示されるように、着脱自在、取り外し可能とされている。
【００３３】
なお、ロック機構３０，３１は、それぞれ水平方向にスライド自在に設けられたキー部材を、フロントカバー３のセンターフレーム３Ａおよびサイドフレーム３Ｂ，３Ｃに設けられているロック部材の穴にスライドさせて挿入することにより、係脱自在とされたものであり、それぞれ同様の構成とされている。また、軸押え部材３２は、フィルタ駆動ローラ２４の軸部を回転自在に押え、支持するものである。
【００３４】
左右一対の回転ブラシ２５は、左右一対のダストボックス２６に一体に組み込まれており、各ダストボックス２６は、左右両側に設けられている一対のスライド方式のロック機構３０を介して、フロントカバー３のセンターフレーム３Ａとサイドフレーム３Ｂ，３Ｃとの間に着脱自在に組み込まれている。また、フィルタ駆動ローラ２４の外周に沿って該フィルタ駆動ローラ２４と回転ブラシ２５およびダストボックス２６との間に組み込まれている湾曲ガイド部材２８は、ダストボックス２６の上部にて、左右両側に設けられている一対のスライド方式のロック機構３１を介して、フロントカバー３のセンターフレーム３Ａとサイドフレーム３Ｂ，３Ｃとの間に着脱自在に組み込まれている。
【００３５】
各回転ブラシ２５は、回転軸２５Ａの外周面に多数のブラシ毛２５Ｂを植設したものであり、図５に示されるように、ブラシ毛２５Ｂがエアフィルタ１４の表面に摺接して該エアフィルタ１４の表面から塵埃を掻き取るようになっている。各回転ブラシ２５は、図５および図６に示されるように、ダストボックス２６に対して回転自在に一体に組み込まれており、その右側端部および左側端部には、歯車（ピニオン）２５Ｃが一体に設けられている。この歯車２５Ｃが、左右一対の駆動機構３３のブラシ用ステッピングモータ（図示省略）の出力軸に設けられている歯車と噛み合わされることにより、回転ブラシ２５が回転駆動されるように構成されている。
【００３６】
一対のダストボックス２６は、図５および図６に示されるように、回転ブラシ２５によりエアフィルタ１４から掻き落とされた塵埃を回収し、蓄積するためのものであり、所要の容積を有している。このダストボックス２６は、ボックス部材（Ａ）３４、ボックス部材（Ｂ）３５および塵埃飛散防止カバー３６を一体に組み付けた構成とされており、ボックス部材（Ａ）３４およびボックス部材（Ｂ）３５に設けられている軸受部３４Ａ，３５Ａにより回転ブラシ２５が回転自在に支持されるようになっている。
【００３７】
また、ボックス部材（Ｂ）３５には、図５に示されるように、回転ブラシ２５のブラシ毛２５Ｂ中に突出され、回転ブラシ２５に付着されている塵埃を掻き落とす櫛状部材３７が一体に設けられている。この櫛状部材３７は、図７に示されるように、先端側が櫛部３７Ａとされており、根元部３７Ｂ側に長手方向に沿って所定の間隔で複数箇所に連結桟部３７Ｃが残され、該連結桟部３７Ｃ間に、櫛状部材３７の回転方向後方に跳ねた塵埃をダストボックス２６内に誘導する複数個の開口３８が設けられた構成とされている。
【００３８】
さらに、ボックス部材（Ｂ）３５には、櫛状部材３７の回転方向後方に跳ねた塵埃がダストボックス２６の外部に飛散するのを防止するための塵埃飛散防止カバー３６が、一体に組み付けられている。この塵埃飛散防止カバー３６は、図６および図８に示されるように、両端部に設けられている爪部３６Ａと、長手方向の複数箇所に設けられている爪部３６Ｂを、ボックス部材（Ｂ）３５の内面側に差し込むことによって着脱自在に組み付けられるものであり、その先端部３６Ｃは、回転ブラシ２５の外周に接する接線位置まで延在されている。
【００３９】
以上に説明の構成により、本実施形態によれば、以下の作用効果を奏する。
空気調和機１が運転されると、室内送風機１６の回転により、室内空気が吸込みグリル９および空気吸込み口８を介して筐体５内に吸込まれる。該空気は、エアフィルタ１４および空清フィルタ１７を通過する過程で塵埃、臭気等が除去され、清浄化されて室内熱交換器１５に供給される。そして、この空気が室内熱交換器１５で内部を流通する冷媒と熱交換されて冷却または加熱された後、空気流路１３、空気吹出し口１０を経て室内に吹出されることによって、室内の冷房または暖房に供される。
【００４０】
空気調和機１の運転時間が長くなると、エアフィルタ１４に捕集された塵埃が少しずつ蓄積され、通風抵抗が徐々に増加される。そのまま運転を続けると、圧損が増大し、空気調和機１の運転効率が低下されるため、例えば累積運転時間が設定時間に到達時の運転終了時毎に、フィルタ清掃機構２３を稼働させ、エアフィルタ１４上に蓄積されている塵埃を除去するフィルタ清掃運転を行うようにしている。このフィルタ清掃運転は、駆動機構３３を介してフィルタ清掃機構２３のフィルタ駆動ローラ（フィルタ駆動手段）２４および回転ブラシ２５を回転駆動し、第１フィルタ移動経路１９に沿って付設されているエアフィルタ１４を、第２フィルタ移動経路２７を経て第３フィルタ移動経路２９へと移動させることによって行われる。
【００４１】
エアフィルタ１４が移動されることにより、フィルタ駆動ローラ２４と対向配置されている回転ブラシ２５は、図５に示される矢印方向に回転されながらエアフィルタ１４の塵埃捕集面に摺接し、エアフィルタ１４の表面に蓄積されている塵埃をブラシ毛２５Ａにより掻き取る。回転ブラシ２５によって掻き取られた塵埃は、ダストボックス２６内に落下し、その内部に回収、蓄積される。エアフィルタ１４は、第３フィルタ移動経路２９の終端位置まで移動される間に全面の清掃が完了され、その後、駆動機構３３が逆転されることにより、エアフィルタ１４は逆方向に移動され、元の位置に復帰される。
【００４２】
このようにして、エアフィルタ１４の塵埃捕集面が自動的に清掃される。この際、回転ブラシ２５により掻き取られた塵埃は、全てがダストボックス２６内に落下せず、一部がブラシ毛２５Ａに付着したまま回転し、エアフィルタ１４に対して再付着される可能性がある。しかし、かかる塵埃は、回転ブラシ２５の下方部位において、ブラシ毛２５Ａ内に差し込まれるように設置されている櫛状部材３７を介して、強制的にダストボックス２６内に掻き落とされ、回収される。
【００４３】
さらに、櫛状部材３７により、回転ブラシ２５から塵埃を掻き落とすとき、一部の塵埃が櫛状部材３７の回転方向後方に跳ねるが、この塵埃についても、櫛状部材３７の根元部３７Ｂに設けられている開口３８を通してダストボックス２６内に誘導し、ダストボックス２６内に回収、蓄積することができる。同様に、櫛状部材３７の回転方向後方に跳ねた塵埃を、塵埃飛散防止用カバー３６により下方に落とし、櫛状部材３７の根元部３７Ｂに設けられている複数個の開口３８を通してダストボックス２６内に誘導することができるため、ダストボックス２６の外部への飛散をも防止することができる。
【００４４】
斯くして、本実施形態によると、エアフィルタ１４から掻き取られて回転ブラシ２５に付着している塵埃を、櫛状部材３７によりダストボックス２６内に掻き落とす際、その回転方向後方に跳ねた塵埃を櫛状部材３７の根元部３７Ｂに設けられている複数の開口３８を通してダストボックス２６内に誘導し、ダストボックス２６に回収、蓄積することができる。従って、櫛状部材３７の回転方向後方に跳ねた塵埃がその後方部位に堆積し、それがダストボックス２６の外部に飛散したり、回転ブラシ２５を介してエアフィルタ１４に再付着されたりするのを防止し、確実にダストボックス２６内に回収することができる。
【００４５】
また、開口３８は、櫛状部材３７の根元部３７Ｂに、その長さ方向に沿って所定の間隔で連結桟部３７Ｃを残し、複数個設けられている。このため、櫛状部材３７により回転ブラシ２５上から塵埃をダストボックス２６内に掻き落とす際、櫛状部材３７の回転方向後方に跳ねた塵埃を、その長さ方向に沿う複数個の開口３８のいずれかからダストボックス２６内に誘導することができる。従って、櫛状部材３７の回転方向後方に跳ねた塵埃の略全てを確実にダストボックス２６内に誘導し、回収することができるとともに、複数の開口３８間に残された連結桟部３７Ｃによって必要な強度を確保できるため、櫛状部材３７の機能低下を防止し、塵埃の掻き落とし機能を確実に維持することができる。
【００４６】
また、ダストボックス２６の櫛状部材３７の回転方向後方に、塵埃飛散防止用カバー３６を設けているため、櫛状部材３７によって回転ブラシ２５上から塵埃をダストボックス２６内に掻き落とす際、回転方向後方に跳ねた塵埃を、塵埃飛散防止用カバー３６によって下方に落とし、それを櫛状部材３７の根元部３７Ｃに設けられている複数個の開口３８を通してダストボックス２６内に誘導し、その内部に回収、蓄積することができる。従って、エアフィルタ１４から除去された塵埃のダストボックス２６の外部への飛散や落下を防止し、確実にダストボックス２６内に回収することができる。
【００４７】
さらに、塵埃飛散防止用カバー３６は、ダストボックス２６に対して着脱自在に組み込まれている。このため、筐体５からダストボックス２６を取り外し、内部に回収、蓄積されている塵埃を処理する際、ダストボックス２６から塵埃飛散防止用カバー３６を取り外すことによって、塵埃飛散防止用カバー３６を綺麗に洗浄することができる。また、ダストボックス２６と塵埃飛散防止用カバー３６とを別体にすることで、それぞれの成形を容易化することができる。従って、塵埃の飛び跳ねにより汚れ易い塵埃飛散防止用カバー３６を、簡易に取り外して洗浄メンテナンスすることができるとともに、ダストボックス２６および塵埃飛散防止用カバー３６の製造型費や製造コストを低減することができる。
【００４８】
また、塵埃飛散防止用カバー３６の先端部３６Ｃが、回転ブラシ２５の外周に接する接線位置まで延在された構成とされているため、櫛状部材３７によって回転ブラシ２５から塵埃をダストボックス２６内に掻き落とす際に、櫛状部材３７の回転方向後方に跳ねた塵埃が、回転ブラシ２５と飛散防止用カバー３６の先端部３６Ｃとの間の隙間からダストボックス２６の外部に飛び散るのを防止することができる。従って、塵埃飛散防止用カバー３６による塵埃の飛散防止効果を高めることができるとともに、回転ブラシ２５が塵埃飛散防止用カバー３６と接触することによる回転抵抗の増大を抑制することができる。
【００４９】
なお、本発明は、上記実施形態にかかる発明に限定されるものではなく、その要旨を逸脱しない範囲において、適宜変形が可能である。例えば、上記実施形態では、壁掛け型の空気調和機１に適用した例について説明したが、これに限らず、他型式の空気調和機にも同様に適用できることは云うまでもない。また、フィルタ清掃機構２３は、エアフィルタ１４をフィルタ駆動ローラ２４により移動しながら、回転ブラシ２５で塵埃を掻き取る方式であれば、如何なる構成であってもよい。特に、回転ブラシ２５やダストボックス２６の配置位置やフィルタ移動経路は様々な態様で変形が可能である。
【００５０】
さらに、上記実施形態では、飛散防止用カバー３６が、ダストボックス２６を構成しているボックス部材（Ｂ）３５と別体で成形されているが、本発明は、一体成形したものを包含ことは云うまでもない。
【符号の説明】
【００５１】
１  空気調和機
１４  エアフィルタ
１５  室内熱交換器（熱交換器）
１９  第１フィルタ移動経路
２３  フィルタ清掃機構
２４  フィルタ駆動ローラ（フィルタ駆動手段）
２５  回転ブラシ
２６  ダストボックス
２７  第２フィルタ移動経路
２９  第３フィルタ移動経路
３６  塵埃飛散防止カバー
３６Ｃ  先端部
３７  櫛状部材
３７Ａ  櫛部
３７Ｂ  根元部
３７Ｃ  連結桟部
３８  開口
【図１】
2012154589.tif 000003
【図２】
2012154589.tif 000004
【図３】
2012154589.tif 000005
【図４】
2012154589.tif 000006
【図５】
2012154589.tif 000007
【図６】
2012154589.tif 000008
【図７】
2012154589.tif 000009
【図８】
2012154589.tif 000010